(57)【要約】【課題】表示パネルが制御不能になった場合であっても、画像を消去することができる電気泳動表示装置およびその駆動方法を提供すること。【解決手段】電気泳動表示装置２は、共通電極配線と、画素２０ごとに形成された画素電極１６と、が形成された素子基板と、共通電極８が形成された対向基板と、共通電極８と画素電極１６との間に配置された電気泳動層４１と、共通電極配線と共通電極８とを導通する上下導通接続部と、素子基板上に形成され、画素２０の各々に共通の電位を供給する保持容量線１０６と、共通電極配線の電位と保持容量線１０６の電位とを独立に制御可能な制御回路と、を備える。【選択図】図５
2011180327.tif 000002
【特許請求の範囲】
【請求項１】
複数の画素を含む表示領域を備えた電気泳動表示装置であって、
第１配線と、前記複数の画素ごとに形成された複数の画素電極と、が形成された素子基板と、
前記複数の画素電極に対向する共通電極が形成された対向基板と、
前記共通電極と前記複数の画素電極との間に配置された電気泳動層と、
前記素子基板と前記対向基板との間に配置された、前記第１配線と前記共通電極とを導通する上下導通接続部と、
前記素子基板上に形成され、前記複数の画素の各々に共通の電位を供給する第２配線と、
前記第１配線及び前記第２配線と接続され、前記第１配線の電位と前記第２配線の電位とを独立に制御可能な制御回路と、
を備えることを特徴とする電気泳動表示装置。
【請求項２】
接続端子を介して前記素子基板に接続された接続基板を備え、
前記制御回路は、前記接続基板に設けられていることを特徴とする請求項１に記載の電気泳動表示装置。
【請求項３】
前記素子基板上に配置された、前記複数の画素電極に画像信号を供給する駆動回路を備え、
前記接続端子を複数有し、
前記制御回路と前記駆動回路とを接続する接続端子は、前記制御回路と前記第１配線とを接続する接続端子と異なり、
前記制御回路と前記駆動回路とを接続する接続端子は、前記制御回路と前記第２配線とを接続する接続端子と異なることを特徴とする請求項２に記載の電気泳動表示装置。
【請求項４】
前記素子基板に、前記複数の画素ごとに形成された複数の保持容量を備え、
前記第２配線は、前記複数の保持容量の各々に接続されていることを特徴とする請求項１から３のいずれか一項に記載の電気泳動表示装置。
【請求項５】
前記制御回路は、所定の信号に基づいて、前記表示領域における表示を消去するための消去信号を前記第１配線および前記第２配線に出力することを特徴とする請求項１から４のいずれか一項に記載の電気泳動表示装置。
【請求項６】
前記制御回路に前記所定の信号を入力する入力スイッチを更に備えることを特徴とする請求項５に記載の電気泳動表示装置。
【請求項７】
前記素子基板に対する応答を検出する検出部を更に備え、前記所定の信号は、前記検出部による応答検出結果に基づく信号であることを特徴とする請求項５に記載の電気泳動表示装置。
【請求項８】
前記制御回路は、前記消去信号を出力する際に、
前記第１配線に対し、第１電位と第２電位とを周期的に繰り返して供給し、
前記第２配線に対し、第１電位または第２電位を供給することを特徴とする請求項５から７のいずれか一項に記載の電気泳動表示装置。
【請求項９】
請求項１から８のいずれか一項に記載の電気泳動表示装置を備えることを特徴とする電子機器。
【請求項１０】
複数の画素を含む表示領域を有し、
第１配線と、前記複数の画素ごとに形成された複数の画素電極と、が形成された素子基板と、
前記複数の画素電極に対向する共通電極が形成された対向基板と、
前記共通電極と前記複数の画素電極との間に配置された電気泳動層と、
前記素子基板と前記対向基板との間に配置された、前記第１配線と前記共通電極とを導通する上下導通接続部と、
前記素子基板上に形成され、前記複数の画素の各々に共通の電位を供給する第２配線と、
を備えた電気泳動表示装置の駆動方法であって、
前記共通電極と、前記複数の画素電極との間に電位差を生じさせることによって、前記表示領域に画像を表示させるステップと、
前記第１配線に対し、第１電位と第２電位とを周期的に繰り返して供給し、前記第２配線に対し、第１電位または第２電位を供給することで、前記表示領域に表示された前記画像を消去するステップと、を含むことを特徴とする電気泳動表示装置の駆動方法。
【発明の詳細な説明】
【技術分野】
【０００１】
本発明は、電気泳動表示装置、電子機器、および電気泳動装置の駆動方法の技術分野に関する。
【背景技術】
【０００２】
近年、電子ペーパーなどの表示部として、電気泳動表示装置が用いられるようになった。電気泳動表示装置は、液相分散媒に複数の電気泳動粒子が分散された電気泳動分散液を有し、この電気泳動分散液に電界を印加することにより、電気泳動粒子の分布状態が変化して電気泳動分散液の光学特性が変化することを表示に利用した装置である。電気泳動表示装置の具体的な構成としては、素子基板の表示領域に電気泳動シートが貼り付けられ、当該電気泳動シート上に保護基板が貼り合わされた構成が知られている。なお、以降、素子基板と電気泳動シートとからなる構成を「表示パネル」ともいう。
【０００３】
素子基板は、例えばガラスなどからなる基板上の表示領域に、複数の画素電極や素子が形成された構成になっている。電気泳動シートは、ＩＴＯなどからなる共通電極が蒸着された透明シート上に電気泳動層及び接着層が形成された構成になっている。透明シートは、例えばポリエチレンテレフタレート（ＰＥＴ）などによって構成される。電気光学層としては、例えば、電気泳動粒子及び当該電気泳動粒子を分散させる液層分散媒が封入されたマイクロカプセルを当該シート一面に敷き詰めた構成が挙げられる。素子基板と共通電極との間は、素子基板上に配置される上下導通材によって接続される構成が一般的であり、上下導通材には例えば外部の回路などから電圧信号が供給される。
【０００４】
電気泳動表示装置は、電気泳動層に電界を印加しない状態であっても表示状態を保持する機能を有しているため、表示が行われている状態で、落下などの衝撃によって表示パネルが割れてしまう等の原因により、故障してしまうと、その表示が残ったままになってしまう。したがって、機密文書などが表示されたまま残ってしまうという場合も考えられ、セキュリティーの観点からも必ずしも好ましいとはいえなかった。このような課題に対しては、例えば特許文献１に示すように、駆動回路や電源回路が故障した場合において表示を消去することができる技術が知られていた。
【先行技術文献】
【特許文献】
【０００５】
【特許文献１】特開２００５−２５７７５５号公報
【発明の概要】
【発明が解決しようとする課題】
【０００６】
しかしながら、特許文献１の構成は、駆動回路や電源回路などの回路に不具合が発生した場合にのみ有効であり、例えば衝撃によって素子基板が破損し外部の回路とコネクター部との間の接続が切断されてしまうと、共通電極に電圧信号を印加することができず、表示を消去することはできなかった。特に、従来構成では、素子基板と外部回路基板とをフレキケーブルとコネクターを用いて接続する構成が多かったため、衝撃などによってこの接続部分が切断されやすいという問題があった。
以上のような事情に鑑み、表示パネルが制御不能になった場合であっても、画像を消去することができる電気泳動表示装置およびその駆動方法が求められている。
【課題を解決するための手段】
【０００７】
本発明は、上述の課題の少なくとも一部を解決するように、以下の形態または適用例として実現される。
【０００８】
［適用例１］複数の画素を含む表示領域を備えた電気泳動表示装置であって、第１配線と、前記複数の画素ごとに形成された複数の画素電極と、が形成された素子基板と、前記複数の画素電極に対向する共通電極が形成された対向基板と、前記共通電極と前記複数の画素電極との間に配置された電気泳動層と、前記素子基板と前記対向基板との間に配置された、前記第１配線と前記共通電極とを導通する上下導通接続部と、前記素子基板上に形成され、前記複数の画素の各々に共通の電位を供給する第２配線と、前記第１配線及び前記第２配線と接続され、前記第１配線の電位と前記第２配線の電位とを独立に制御可能な制御回路と、を備えることを特徴とする電気泳動表示装置。
このような構成によれば、第１配線と第２配線の電位を独立に制御可能な制御回路を備えることとしたため、素子基板が故障した場合であっても、制御回路から第１配線と第２配線の電位を制御することが可能となり、表示パネルに表示された画像を消去することができる。
【０００９】
［適用例２］上述の適用例において、接続端子を介して前記素子基板に接続された接続基板を備え、前記制御回路は、前記接続基板に設けられている電気泳動表示装置。
このような構成によれば、素子基板が接続端子を介して接続基板に接続させており、上記制御回路が接続基板に設けていることとしたので制御回路が破損されるのを防ぐことができる。
【００１０】
［適用例３］上述の適用例において、前記素子基板上に配置された、前記複数の画素電極に画像信号を供給する駆動回路を備え、前記接続端子を複数有し、前記制御回路と前記駆動回路とを接続する接続端子は、前記制御回路と前記第１配線とを接続する接続端子と異なり、前記制御回路と前記駆動回路とを接続する接続端子は、前記制御回路と前記第２配線とを接続する接続端子と異なる電気泳動表示装置。
このような構成によれば、接続端子が複数も受けられていることとしたので、例えば素子基板と接続基板の接続が一つ切断される場合であっても、素子基板と接続基板との間の接続が完全に切断されずに済むことになる。また制御回路と駆動回路とを接続する接続端子は、制御回路と第１配線あるいは第２配線とを接続端子する端子と異なる構成としたため、例えば素子基板と接続基板の接続が切断される場合であっても、制御回路と第１配線あるいは第２配線との間の接続が完全に切断されずに済むことになる。
【００１１】
［適用例４］上述の適用例において、前記素子基板に、前記複数の画素ごとに形成された複数の保持容量を備え、前記第２配線は、前記複数の保持容量の各々に接続されている電気光学装置。
このような構成によれば、制御回路により第２配線の電位を設定した後に、各画素電極に画像に応じた電位を書き込むことで画素電極側の電位を設定することができる。一方で制御回路により第一配線の電位を設定することで、上下導通部を介して共通電極の電位が設定され、共通電極と画素電極間に電位差が発生し、表示パネルに画像を表示あるいは消去することが可能となる。
【００１２】
［適用例５］上述の適用例において、制御回路は、所定の信号に基づいて、前記表示領域における表示を消去するための消去信号を前記第１配線および前記第２配線に出力する電気泳動表示装置。
本構成によれば、制御回路が所定の信号に基づいて、表示領域における表示を消去する電圧を第１配線および第２配線に出力することとしたので、より高い可能性で共通電極および画素電極に電圧信号を出力することができる。
【００１３】
［適用例６］上述の適用例において、前記制御回路に前記所定の信号を入力する入力スイッチを更に備える電気泳動表示装置。
本構成によれば、制御回路に信号を入力する入力スイッチを更に備えることとしたので、入力スイッチを操作するユーザーの判断によって表示の消去を行うことができる。これにより、電気泳動表示装置の操作性および機密性を向上させることができる。
【００１４】
［適用例７］上述の適用例において、前記素子基板に対する応答を検出する検出部を更に備え、前記所定の信号は、前記検出部による応答検出結果に基づく信号である電気泳動表示装置。
本構成によれば、前記素子基板に対する応答を検出する検出部を更に備え、所定の応答信号を検出部により検出することとしたので、所定の応答信号が検出されなかった場合には自動的に表示を消去することができる。また、当該検出結果に基づく信号と、ユーザーによる入力に基づく信号とを組み合わせる態様とすることも可能である。
【００１５】
［適用例８］上述の適用例において、前記制御回路は、前記消去信号を出力する際に、前記第１配線に対し、第１電位と第２電位とを周期的に繰り返して供給し、前記第２配線に対し、第１電位または第２電位を供給する電気泳動表示装置。
本構成によれば、共通電極と画素電極との間に電位差を生じさせることによって平面視において画素電極が形成された領域を含む表示領域に画像を表示させ、第１配線と第２配線に第１電位と第２電位を周期に供給することで、共通電極と画素電極間に、第１電位と第２電位との電位差を繰り返し交互に発生させ、表示領域に表示された画像を消去することとしたので、表示パネルが制御不能となった場合であっても、表示領域に表示された画像を消去することができる。
【００１６】
［適用例９］上述の適用例のいずれかの電気泳動表示装置を備えた電子機器。
このような構成によれば、落下などにより表示の制御が不可能になることを高い可能性で防ぐことができ、万が一制御不可能になった場合に表示されている内容を消去可能であるため、優れた機密性を有する。
【００１７】
［適用例１０］複数の画素を含む表示領域を有し、第１配線と、前記複数の画素ごとに形成された複数の画素電極と、が形成された素子基板と、前記複数の画素電極に対向する共通電極が形成された対向基板と、前記共通電極と前記複数の画素電極との間に配置された電気泳動層と、前記素子基板と前記対向基板との間に配置された、前記第１配線と前記共通電極とを導通する上下導通接続部と、前記素子基板上に形成され、前記複数の画素の各々に共通の電位を供給する第２配線と、を備えた電気泳動表示装置の駆動方法であって、前記共通電極と、前記複数の画素電極との間に電位差を生じさせることによって、前記表示領域に画像を表示させるステップと、前記第１配線に対し、第１電位と第２電位とを周期的に繰り返して供給し、前記第２配線に対し、第１電位または第２電位を供給することで、前記表示領域に表示された前記画像を消去するステップと、を含む電気泳動表示装置の駆動方法。
本構成によれば、共通電極と画素電極との間に電位差を生じさせることによって平面視において画素電極が形成された領域を含む表示領域に画像を表示させ、共通電極と画素電極間に、第１電位と第２電位との電位差を繰り返し交互に印加することによって表示領域に表示された画像を消去することとしたので、表示パネルが制御不能となった場合であっても、表示領域に表示された画像を消去することができる。
【図面の簡単な説明】
【００１８】
【図１】本発明の一実施形態の表示装置の外観を表す直視図。
【図２】本実施形態に係る電気泳動表示パネルの構成を示す平面図。
【図３】図２の電気泳動表示パネルをＡ−Ａ線で破断して示す断面図。
【図４】本実施形態に係る電気泳動表示装置の全体構成を示すブロック図。
【図５】本実施形態に係る画素の電気的な構成を示す等価回路図。
【図６】共通電極および画素電極に印加される電圧値を示すタイミングチャート。
【発明を実施するための形態】
【００１９】
以下、図面を参照して本発明の実施の形態を説明する。
（電気泳動表示装置の構成）
図１は、本実施形態の表示装置１の外観図である。表示装置１は、電子機器の一態様である。
図１に示すように、表示装置１は、電気泳動表示装置２、筐体１０１、入力スイッチ１０２及び１０３を備えており、電気泳動表示装置２が筐体１０１に保持された構成になっている。入力スイッチ１０２は例えば電気泳動表示装置２の電源スイッチであり、入力スイッチ１０３は例えば電気泳動表示装置２の表示を消去するためのスイッチである。
【００２０】
図２は本実施形態に係る電気泳動表示装置２の概略構成を示す平面図であり、図３は図２中のＡ−Ａ線における断面図である。図２、図３に示すように、電気泳動表示装置２は、素子基板３、電気泳動シート４及び接続基板５を備えており、素子基板３の表面に電気泳動シート４が貼り付けられると共に、素子基板３と接続基板５とが接続端子５０１，５０２，５０３を介して接続された構成になっている。素子基板３には、走査線駆動回路６、データ線駆動回路７が形成されており、接続基板５には、コントローラー１２、共通電極制御回路１３が実装されている。走査線駆動回路６、データ線駆動回路７は「駆動回路」の一態様であり、コントローラー１２、共通電極制御回路１３は「制御回路」の一態様である。このうち、コントローラー１２は、接続端子５０１を介して素子基板３上の走査線駆動回路６、データ線駆動回路７と接続されており、共通電極制御回路１３は、接続端子５０２，５０３を介して素子基板と接続されている。
【００２１】
ここで、図３に示すように、素子基板３の電気泳動シート４側の面には、複数の画素電極１６と、「第１配線」としての共通電極配線１７とが形成されている。また、電気泳動シート４は、透光性を有する対向基板１４と、対向基板１４の素子基板３側に形成されたＩＴＯからなる共通電極８と、共通電極８の素子基板３側に配置された、電気泳動素子としての複数のマイクロカプセル１０とを有している。対向基板１４は例えばＰＥＴからなる。共通電極８は、複数の画素電極１６に対向するように配置されている。マイクロカプセル１０の各々には、電気泳動分散液１０ｃが封入されている。電気泳動分散液１０ｃは、分散媒に、負に帯電された黒色帯電粒子１０ａと、正に帯電された白色帯電粒子１０ｂとが分散されたものである。複数のマイクロカプセル１０は、複数の画素電極１６と共通電極８との間に配置されている。マイクロカプセル１０を基準として共通電極８側を前面側、画素電極１６側を背面側とも呼ぶ。観察者は、前面側から電気泳動表示装置２を観察する。複数のマイクロカプセル１０は、バインダー１５によって画素電極１６と共通電極８との間に固定されている。以下、複数のマイクロカプセル１０とバインダー１５とからなる層を電気泳動層４１と呼ぶ。
【００２２】
なお、複数のマイクロカプセル１０、バインダー１５からなる層と、素子基板３との間が接着層により接着される構成とすることもできる。この場合は、複数のマイクロカプセル１０、バインダー１５、接着層からなる層が電気泳動層となる。また、黒色帯電粒子１０ａが正に、白色帯電粒子１０ｂが負に帯電している構成でもよく、黒色帯電粒子１０ａ、白色帯電粒子１０ｂのいずれか一方のみがマイクロカプセル１０に封入された構成でもよい。また、マイクロカプセルに代えて、素子基板３と対向基板１４との間に隔壁を形成し、その中に黒色帯電粒子１０ａ、白色帯電粒子１０ｂを封入する構成としてもよい。
【００２３】
電気泳動シート４のうち共通電極配線１７と重なる領域においては、マイクロカプセル１０とバインダー１５とが除去されており、共通電極８と共通電極配線１７とを電気的に接続する上下導通接続部９が設けられている。上下導通接続部９としては、導電性を有するテープや、銀ペーストなどを用いることができる。
【００２４】
図２に示すように、電気泳動表示装置２には画像を表示する表示領域２０１が設けられている。表示領域２０１内にはマトリックス状に配列された複数の画素２０（図４）が設けられており、画素２０ごとに表示が行われるようになっている。画素電極１６は、画素２０ごとに形成されている。表示領域２０１の周囲の領域は、画像が表示されない非表示領域２０２となっている。この非表示領域２０２には画素２０が設けられていない。また、素子基板３には、非表示領域２０２において、走査線駆動回路６、データ線駆動回路７、上下導通接続部９、共通電極用端子（第１端子）１８、保持容量配線用端子（第２端子）１１が設けられている。共通電極用端子１８は、上下導通接続部９と電気的に接続されている。したがって、共通電極用端子１８は、共通電極８と電気的に接続されている。保持容量配線用端子１１は、「第２配線」としての保持容量線１０６（図４）と電気的に接続されている。共通電極用端子１８は、接続端子５０２を介して接続基板５上の共通電極制御回路１３と接続されており、保持容量配線用端子１１は、接続端子５０３を介して接続基板５上の共通電極制御回路１３と接続されている。接続端子５０２，５０３はそれぞれ、共通電極用端子１８、保持容量配線用端子１１と接続基板５とを接続するための専用の接続端子である。
【００２５】
次に、本実施形態に係る電気泳動表示装置２の電気的な構成について、図４を用いて説明する。
図４に示すように、本実施形態に係る電気泳動表示装置２は、表示領域２０１と、コントローラー１２と、走査線駆動回路６と、データ線駆動回路７と、共通電極制御回路１３とを備えている。
【００２６】
表示領域２０１には、ｍ行×ｎ列分の画素２０がマトリックス状（二次元平面的）に配列されている。また、表示領域２０１には、ｍ本の走査線Ｙ１、Ｙ２、…、Ｙｍ（互いに区別しない場合には「走査線４０」とも呼ぶ）と、ｎ本のデータ線Ｘ１、Ｘ２、…、Ｘｎ（互いに区別しない場合には「データ線５０」とも呼ぶ）とが互いに交差するように設けられている。具体的には、ｍ本の走査線４０は、行方向（即ち、Ｘ方向）に延在し、ｎ本のデータ線５０は、行方向に交差する列方向（即ち、Ｙ方向）に延在している。ｍ本の走査線４０とｎ本のデータ線５０との交差に対応して画素２０が配置されている。
【００２７】
コントローラー１２は、走査線駆動回路６、データ線駆動回路７及び共通電極制御回路１３の動作を制御する。コントローラー１２は、例えば、クロック信号、スタートパルス等のタイミング信号を各回路に供給する。また、コントローラー１２は、接続基板５上に実装されており、コントローラー１２と、走査線駆動回路６、データ線駆動回路７及び共通電極制御回路１３とは、接続端子５０１を介して接続されている。
【００２８】
走査線駆動回路６は、コントローラー１２から供給されるタイミング信号に基づいて、走査線Ｙ１、Ｙ２、…、Ｙｍの各々に走査信号をパルス的に順次供給し、走査終了後にはコントローラー１２にエンドパルス信号を供給する。データ線駆動回路７は、コントローラー１２から供給されるタイミング信号に基づいて、データ線Ｘ１、Ｘ２、…、Ｘｎに画像信号を供給する。画像信号は、高電位レベル（以下「ハイレベル」という。例えば１５Ｖ）又は低電位レベル（以下「ローレベル」という。例えば−１５Ｖ）又は共通電極電位レベル（例えば０Ｖ）又はハイインピーダンスの４値的なレベルをとる。
【００２９】
共通電極制御回路１３は、共通電極電位線９３に共通電極電位Ｖｃｏｍを供給すると共に、保持容量線１０６に保持容量線電位Ｖｓを供給する。ここで、共通電極電位Ｖｃｏｍは、各画素２０の画素電極１６に対向するように配置された共通電極８によって各画素２０に供給されるが、図４では便宜上共通電極電位線９３を介して各画素２０に供給されるように記載している。また、保持容量線電位Ｖｓは、表示領域２０１内のすべての画素２０に供給される。このように、保持容量線１０６は、各画素２０に対して共通の電位を供給する配線として機能する。
【００３０】
尚、コントローラー１２、走査線駆動回路６、データ線駆動回路７、共通電極制御回路１３には、各種の信号が入出力されるが、本実施形態と特に関係のないものについては説明を省略する。
【００３１】
次に、電気泳動表示装置２の画素２０の構成について、図５を参照して説明する。ここに、図５は、本実施形態に係る画素２０の電気的な構成を示す等価回路図である。
図５において、画素２０は、画素スイッチング用トランジスター２４と、画素電極１６と、共通電極８と、電気泳動層４１と、保持容量２７とを備えている。
【００３２】
画素スイッチング用トランジスター２４は、例えばＮ型トランジスターで構成されている。画素スイッチング用トランジスター２４は、そのゲートが走査線４０に電気的に接続されており、そのソースがデータ線５０に電気的に接続されており、そのドレインが画素電極１６及び保持容量２７に電気的に接続されている。
【００３３】
画素スイッチング用トランジスター２４は、データ線駆動回路７（図４）からデータ線５０を介して供給される画像信号を、走査線駆動回路６（図４）から走査線４０を介してパルス的に供給される走査信号に応じたタイミングで、画素電極１６及び保持容量２７に出力する。
【００３４】
画素電極１６には、データ線駆動回路７からデータ線５０及び画素スイッチング用トランジスター２４を介して、画像信号が供給される。
保持容量２７は、誘電体膜を介して対向配置された一対の電極からなり、一方の電極が、画素電極１６及び画素スイッチング用トランジスター２４に電気的に接続され、他方の電極が保持容量線１０６に電気的に接続されている。保持容量２７は、画像信号を一定期間だけ維持することができる。
【００３５】
ここで、共通電極８には共通電位Ｖｃｏｍが供給されているため、画素電極１６と共通電極８との間に配置されたマイクロカプセルには、画像信号と共通電位Ｖｃｏｍとの差に応じた電界が印加される。
【００３６】
（表示装置の動作）
次に、本実施形態の表示装置１の動作を具体的状況に基づいて説明する。
まず、表示領域２０１に画像を表示させるときには、コントローラー１２からの制御信号により走査線駆動回路６およびデータ線駆動回路７を制御し、マトリックス状に配置された画素電極１６に画像信号を供給する。これにより、共通電極８と画素電極１６との間に所定の電圧が印加され、共通電極８と画素電極１６との間に挟まれたマイクロカプセル１０内の黒色帯電粒子１０ａ又は白色帯電粒子１０ｂが透明な共通電極８側に吸着され、その吸着された帯電粒子によって、共通電極８側、つまり電気泳動表示装置２の前面側に画像が表示される。
【００３７】
ここで、機密情報を含む画像を表示させていたときに、表示装置１を落下させるなどして、接続部である接続端子５０１が破損したとする。そして、走査線駆動回路６がコントローラー１２からの信号に対して応答しなくなり、走査線駆動回路６、データ線駆動回路７によっては表示を消すことができなくなってしまったとする。このような状態となったことは、例えば走査線駆動回路６からエンドパルス信号がコントローラー１２に返ってこないことにより判定することができる。
【００３８】
このときコントローラー１２は画像の表示を消去させるための消去信号を生成する。消去信号の共通電位Ｖｃｏｍと保持容量線電位Ｖｓとは、図２に示す共通電極制御回路１３、接続端子５０２，５０３を介してそれぞれ素子基板３の共通電極用端子１８、保持容量配線用端子１１に供給される。そして、消去信号の共通電位Ｖｃｏｍは上下導通接続部９を介して共通電極８に供給され、消去信号の保持容量線電位Ｖｓは保持容量線１０６に供給される。よって、共通電位Ｖｃｏｍ及び保持容量線電位Ｖｓは各画素２０に共通に供給される。すなわち、各画素２０においては、素子基板３側では保持容量２７の一方の電極に保持容量線電位Ｖｓが供給され、対向基板１４側では共通電極８に共通電極電位Ｖｃｏｍが供給された状態となる。
【００３９】
このとき、各画素電極１６は、画素スイッチング用トランジスター２４などのリーク経路を有する一方で、保持容量２７との容量結合、および電気泳動層４１との容量結合およびリーク経路を有している。このため各画素電極１６の電位は、保持容量線１０６の保持容量線電位Ｖｓと、共通電極電位Ｖｃｏｍとに関して、保持容量２７と電気泳動層４１の容量とで容量分配され、かつリーク成分による抵抗分配された所定の電位へと収束する。
【００４０】
これにより、画素電極１６と共通電極８との間に電位差が発生し、電気泳動層４１（マイクロカプセル１０）に一定方向の電圧バイアスを印加することが可能となる。すなわち、接続端子５０１が機能しない状態となっても、接続端子５０２，５０３を介して共通電極用端子１８、保持容量配線用端子１１のみを制御することにより、電気泳動表示装置２の前面側に全黒あるいは全白を描画し、画面を消去することが可能となる。
【００４１】
図６は、共通電極８および画素電極１６に印加する消去信号の波形を示すグラフである。縦軸は波形の電位の大きさを第１電位としてのハイレベル（Ｈ）と第２電位としてのローレベル（Ｌ）とで示している。横軸は時間を示している。
【００４２】
ここでは、図６を用いて、電気泳動表示装置２において表示された画像を消去するための駆動方法について具体的に説明する。
図６に示すように、画像の表示を消去させる際に共通電極８に印加する共通電極電位Ｖｃｏｍとしては、例えば第１電位と第２電位とを一定期間（周期）毎に切り替える信号が好ましく、また、容量線電位Ｖｓは第２電位に固定する。このような消去信号を共通電極８に入力した場合、制御不能の状態である画素電極１６の電位（画素電極電位）も、共通電極８の電位の影響を受けて、共通電極８の電位レベルに追従し、共通電極電位Ｖｃｏｍが変化してから一定時間が経過した後に共通電極電位Ｖｃｏｍと同電位となる。
【００４３】
具体的には、共通電極８に第１電位が入力された際（以下、第１動作と呼ぶ）には、画素電極１６は電気泳動層４１との容量分配および電気泳動層４１のリーク成分により、第１電位へと収束していく。詳しくは、共通電極８と画素電極１６との間にある電気泳動層４１の容量が、画素電極１６と保持容量線１０６との間にある保持容量２７の容量より大きく、かつリーク電流は、保持容量２７より電気泳動層４１の方が流れやすいため、共通電極８が第１電位に変位した後、画素電極１６の電位は短時間で共通電極８と同電位（第１電位）に収束する。画素電極１６が共通電極８と同電位に収束するまでの間は、黒色帯電粒子１０ａが共通電極８側に移動するような電界が生じる。
【００４４】
続いて共通電極８を第２電位に切り替えた際（以下、第２動作と呼ぶ）には、画素電極１６は共通電極８との間に電位差を有しながら、共通電極８の第２電位へと収束していく。このとき、画素電極１６が第２電位へと収束するまでの期間、画素電極１６と共通電極８との間に電位差が生じ、この電位差に起因して生じた電界により、白色帯電粒子１０ｂが共通電極８側に移動する。ここで、画素電極１６から保持容量線１０６へのリークパスが小さいため、第２動作において画素電極１６の電位が共通電極８の第２電位に収束するまでにかかる時間は、第１動作において第１電位に収束するまでの時間より長くなる。すなわち、第１動作と第２動作とでは電気泳動層４１に逆方向の電界が生じるものの、第１動作と第２動作との合計では、第２動作における電界印加時間が長くなる。このため、白色帯電粒子１０ｂが共通電極８側に移動し、これにより表示状態の消去が可能となる。
【００４５】
無論、容量線電位Ｖｓを第２電位に固定し、同様に共通電極電位Ｖｃｏｍを第１電位と第２電位との間で振ることで、上記とは逆の作用が生じるので、この場合には全面に黒を描画することによって表示を消去することができる。
【００４６】
上述した通り、この駆動方法によれば、電気泳動表示装置２の接続端子５０１が故障した場合であっても、画像を消去することができる。したがって、例えば機密情報の漏洩を考慮することなく表示装置１を修理または破棄などを行うことができる。
【００４７】
なお、上記実施形態は、接続端子５０１が破損した場合に画像を消去するための動作を行うものであるが、これに代えて、表示装置１が消去専用の入力スイッチ１０３を備えており、使用者が機密文書消去のため入力スイッチ１０３によりコントローラー１２が消去動作を開始するようにしても良い。
【符号の説明】
【００４８】
１…表示装置、２…電気泳動表示装置、３…素子基板、４…電気泳動シート、５…接続基板、６…走査線駆動回路、７…データ線駆動回路、８…共通電極、９…上下導通接続部、１０…マイクロカプセル、１０ａ…黒色帯電粒子、１０ｂ…白色帯電粒子、１０ｃ…電気泳動分散液、１１…保持容量配線用端子、１２…コントローラー、１３…共通電極制御回路、１４…対向基板、１５…バインダー、１６…画素電極、１７…共通電極配線、１８…共通電極用端子、２０…画素、２４…画素スイッチング用トランジスター、２７…保持容量、４０…走査線、４１…電気泳動層、５０…データ線、９３…共通電極電位線、１０１…筐体、１０２，１０３…入力スイッチ、１０６…保持容量線、２０１…表示領域、２０２…非表示領域、５０１，５０２，５０３…接続端子。
【図１】
2011180327.tif 000003
【図２】
2011180327.tif 000004
【図３】
2011180327.tif 000005
【図４】
2011180327.tif 000006
【図５】
2011180327.tif 000007
【図６】
2011180327.tif 000008